(57)【要約】  集塵装置浄化洗浄用ノズル（１１）は、圧縮空気流路（２４）を貫通するように配置される内側ノズル（２３）と、外側ノズル（２２）とを備えている。内側ノズル（２３）は、母管（１２）の外側の清浄ガスが流れる連行流流路（２６）と、連行流流路（２６）に接続される連行流出口（２８）とが形成されている。外側ノズル（２２）と内側ノズル（２３）との間には、圧縮空気流路（２４）に接続される噴流流路（２５）と、連行流出口（２８）を囲むように配置される噴射口（２９）とが形成されている。このような集塵装置浄化用ノズル（１１）は、噴射口（２９）から噴射される噴流が、連行流出口（２８）から吐出される清浄ガスを取り込むことにより、噴射口（２９）から噴射される噴流の流量より大きい流量の噴流を生成することができる。
2015104827.tif 000002
【特許請求の範囲】
【請求項１】
圧縮空気が流れる圧縮空気流路を形成する母管と、
前記圧縮空気流路を貫通するように配置される内側ノズルと、
外側ノズルとを備え、
前記内側ノズルは、
前記母管の外側に配置される清浄ガスが流れる連行流流路と、
前記連行流流路に接続される連行流出口とが形成され、
前記外側ノズルと前記内側ノズルとの間には、
前記圧縮空気流路に接続される噴流流路と、
前記連行流出口を囲むように配置される噴射口とが形成される集塵装置浄化用ノズル。
【請求項２】
前記内側ノズルは、前記清浄ガスを前記連行流流路に取り込む連行流取り込み口に前記内側ノズルの内側の面と前記母管の外側の面とを緩やかに繋げる曲面が形成される請求項１に記載される集塵装置浄化用ノズル。
【請求項３】
前記圧縮空気流路を貫通するように配置される他の内側ノズルをさらに備え、
前記他の内側ノズルは、
前記清浄ガスが流れる他の連行流流路と、
前記他の連行流流路に接続される他の連行流出口とが形成され、
前記噴流流路と前記噴射口とは、前記外側ノズルと前記内側ノズルと前記他の内側ノズルとに囲まれる領域に形成される請求項１に記載される集塵装置浄化用ノズル。
【請求項４】
請求項１〜請求項３のうちのいずれか一項に記載される集塵装置浄化用ノズル  複数のろ布、金網、フィルタ、板等のダスト捕集機構部とを備え、
前記集塵装置浄化用ノズルは、前記噴流が前記複数のろ布、金網、フィルタ、板等のダスト捕集機構部に噴射されるように配置される集塵装置。
【発明の詳細な説明】
【技術分野】
【０００１】
本発明は、集塵装置浄化用ノズルおよび集塵装置に関し、特に、排ガスからダストを除去する集塵装置を浄化するときに利用される集塵装置浄化用ノズルおよび集塵装置に関する。
【背景技術】
【０００２】
排ガスからダストを除去する集塵装置が知られている。集塵装置には多数の方式があり、代表的なものとしてフィルタ、電気集塵装置等が挙げられる。フィルタの内、バグフィルタは袋状に形成されたろ布を複数備え、ろ布が排ガスをろ過することにより、排ガスからダストを除去している（特許文献１〜６参照。）。バグフィルタは、パルスジェット状の空気をろ布に噴射し、ろ布の表面に堆積したダストを払い落として逆洗をすることにより、ダストの堆積による圧力損失上昇を防止している（特許文献２〜６参照。）。
【先行技術文献】
【特許文献】
【０００３】
【特許文献１】特開２００２−５８９４８号公報
【特許文献２】特許第３０７８７７２号公報
【特許文献３】特開平０４−９０８１７号公報
【特許文献４】特開２００７−９０２２２号公報
【特許文献５】特公昭５９−９２０６号公報
【特許文献６】特開２０１３−１１６４６６号公報
【発明の概要】
【発明が解決しようとする課題】
【０００４】
バグフィルタは、ろ布を長尺化することにより、設置スペースを低減し、コストを低減することができる。長尺のろ布は、逆洗されるときに、多くの逆洗用空気が噴射される必要がある。バグフィルタは、長尺のろ布を適切に逆洗することが望まれ、ろ布を逆洗する逆洗用空気の流量を低コストで高効率に増加させることが望まれている。
また、他のフィルタ及び電気集塵装置においても、金網、フィルタ、板等のダスト捕集機構部に排ガスから除去したダストが堆積して、経時的な圧力損失の上昇またはダスト除去効率の低下が生じるため、低コストで高効率に浄化できることが望まれる。【０００５】
本発明の課題は、噴流の流量を低コストで高効率に増加させる集塵装置浄化用ノズルを提供することにある。
本発明の他の課題は、排ガスからダストを除去するろ布、金網、フィルタ,板等のダスト捕集機構部を適切に浄化する上記ノズルを備えた集塵装置を提供することにある。
【課題を解決するための手段】
【０００６】
本発明による集塵装置浄化用ノズルは、圧縮空気が流れる圧縮空気流路を形成する母管を貫通するように配置される内側ノズルと、外側ノズルとを備えている。前記内側ノズルは、前記母管の外側に配置される清浄ガスが流れる連行流流路と、前記連行流流路に接続される連行流出口とが形成されている。前記外側ノズルと前記内側ノズルとの間には、前記圧縮空気流路に接続される噴流流路と、前記連行流出口を囲むように配置される噴射口とが形成されている。
このような集塵装置浄化用ノズルは、噴射口から噴射される噴流が、連行流出口から吐出される清浄ガスを取り込むことにより、噴射口から噴射される噴流の流量より大きい流量の洗浄用噴流を生成することができる。このため、このような集塵装置浄化用ノズルは、母管を流れる圧縮空気の流量を増加させることなく、生成される洗浄用噴流の流量を低コストに増加させることができる。【０００７】
前記内側ノズルは、前記清浄ガスを前記連行流流路に取り込む連行流取り込み口に前記内側ノズルの内側の面と前記母管の外側の面とを緩やかに繋げる曲面が形成されている。
このような集塵装置浄化用ノズルは、連行流取り込み口が所謂ベルマウス形状に形成されることにより、連行流取り込み口を介して清浄ガスが内側管に流入するときのエネルギー損失を低減することができ、連行流出口から清浄ガスを高効率に吐出すことができる。このような集塵装置浄化用ノズルは、連行流出口から清浄ガスを高効率に吐出すことにより、噴射口から噴射される噴流の流量より大きい流量の洗浄用噴流を高効率に生成することができる。【０００８】
本発明による集塵装置浄化用ノズルは、前記圧縮空気流路を貫通するように配置される他の内側ノズルをさらに備えている。前記他の内側ノズルは、前記清浄ガスが流れる他の連行流流路と、前記他の連行流流路に接続される他の連行流出口とが形成されている。前記噴流流路と前記噴射口とは、前記外側ノズルと前記内側ノズルと前記他の内側ノズルとに囲まれる領域に形成されている。
このような集塵装置浄化用ノズルは、複数の内側ノズルを備えることにより、噴射口から噴射される噴流が、複数の連行流出口から吐出される清浄ガスを高効率に取り込むことができ、噴射口から噴射される噴流の流量より大きい流量の洗浄用噴流を高効率に生成することができる。【０００９】
本発明による集塵装置は、本発明による集塵装置浄化用ノズルと、複数のろ布、金網、板等のダスト捕集機構部とを備えている。前記集塵装置浄化用ノズルは、前記噴流が前記複数のろ布、金網、板等のダスト捕集機構部に噴射されるように配置されている。
このような集塵装置は、集塵装置浄化用ノズルが洗浄用噴流を大きい流量で噴射することができることにより、ろ布、フィルタ、金網、板等のダスト捕集機構部を長尺化または大型化した場合でも、母管を流れる空気の流量を増加させることなく、ダスト捕集機構部を適切に浄化することができ、排ガスからダストを適切に除去することができる。あるいは、母管を流れる空気の流量を増加させることなく、ダスト捕集機構部を浄化する効果を上昇することができる。
【発明の効果】
【００１０】
本発明による集塵装置浄化用ノズルは、噴射口から噴射される噴流が、連行流出口から吐出される清浄ガスを取り込むことにより、母管を流れる圧縮空気の流量を増加させることなく、生成される噴流の流量を低コストに増加させることができる。
【図面の簡単な説明】
【００１１】
【図１】バグフィルタを示す横断面図である。
【図２】バグフィルタを示す縦断面図である。
【図３】集塵装置浄化用ノズルの一部を示す斜視図である。
【図４】集塵装置浄化用ノズルの一部を示す斜視断面図である。
【図５】集塵装置浄化用ノズルの一部を示す断面図である。
【図６】集塵装置浄化用ノズルの一部を示す底面図である。
【図７】他の集塵装置浄化用ノズルの一部を示す断面図である。
【図８】さらに他の集塵装置浄化用ノズルの一部を示す断面図である。
【図９】さらに他の集塵装置浄化用ノズルの一部を示す底面図である。
【発明を実施するための形態】
【００１２】
排ガスからダストを除去する集塵装置の内、代表的なものとしてバルフィルタを例に以下に説明を実施する。バグフィルタの図面を参照して、集塵装置浄化用ノズルの実施の形態が以下に記載される。その集塵装置浄化用ノズルが適用されるバグフィルタ１０は、図１に示されているように、ハウジング１と分離板２と複数のろ布３とを備えている。ハウジング１は、容器に形成されている。分離板２は、平坦な板状に形成されている。分離板２は、水平面に沿うように、ハウジング１の内部空間に配置され、ハウジング１の内部空間を排ガス領域５と清浄ガス領域６とに分離している。このとき、清浄ガス領域６は、排ガス領域５の上方に配置されている。
【００１３】
ハウジング１は、さらに、排ガス入口７と排ガス出口８とが形成されている。排ガス入口７は、排ガス領域５をハウジング１の外部に接続している。排ガス出口８は、清浄ガス領域６をハウジング１の外部に接続している。複数のろ布３は、それぞれ、袋状に形成されたろ布から構成されている。複数のろ布３は、それぞれ、排ガス領域５に配置されている。
【００１４】
分離板２は、図２に示されるように、さらに、複数のろ布３に対応する複数の貫通孔が形成されている。複数のろ布３のうちのある貫通孔に対応するろ布は、ろ布の袋の口がその貫通孔を塞ぐように、分離板２に接合されている。すなわち、排ガス領域５と清浄ガス領域６とは、分離板２と複数のろ布３とにより、隔離されている。
【００１５】
バグフィルタ１０は、さらに、図１に示されているように、集塵装置浄化用ノズル１１と母管１２と回転用モータ１３を備えている。母管１２は、棒状に形成されている。母管１２は、鉛直方向に垂直である直線に沿うように、分離板２の上側に、すなわち、清浄ガス領域６に配置されている。母管１２は、さらに、鉛直方向に平行である回転軸１４を中心に回転可能にハウジング１に支持されている。回転用モータ１３は、回転軸１４を中心に母管１２を回転させる。
【００１６】
バグフィルタ１０は、さらに、逆洗空気源１５と逆洗空気配管１６とダイヤフラム弁１７とを備えている。逆洗空気源１５は、空気を圧縮することにより、圧縮空気を生成する。逆洗空気配管１６は、逆洗空気源１５と母管１２とを接続する流路を形成し、逆洗空気源１５により生成された圧縮空気を母管１２に供給する。ダイヤフラム弁１７は、逆洗空気配管１６の途中に設けられている。ダイヤフラム弁１７は、逆洗空気源１５により生成された圧縮空気が母管１２に間欠的に供給されるように、逆洗空気配管１６が形成する流路を開閉する。
【００１７】
集塵装置浄化用ノズル１１は、図３に示されるように、母管１２にノズル部２１が設けられている。母管１２は、管状に形成され、内部に圧縮空気流路２４が形成されている。母管１２は、回転軸１４の近傍に形成される口を介して、逆洗空気配管１６から圧縮空気流路２４に圧縮空気が供給される。
【００１８】
集塵装置浄化用ノズル１１に設けられている複数のノズル部の任意のノズル部２１は、外側ノズル２２と内側ノズル２３とを備えている。外側ノズル２２は、管状に形成されている。外側ノズル２２は、鉛直線に沿うように配置され、母管１２の鉛直下側に接合されている。
【００１９】
内側ノズル２３は、管状に形成されている。内側ノズル２３は、図４に示されるように、鉛直線に沿うように、かつ、圧縮空気流路２４を貫通するように、かつ、下端が外側ノズル２２の内側に配置されるように、配置されている。内側ノズル２３は、さらに、上端が母管１２に接合されることにより、母管１２に固定されている。内側ノズル２３は、さらに、下端が外側ノズル２２の下端に揃うように、配置されている。すなわち、内側ノズル２３の下端をある鉛直線に正射影した点の位置は、外側ノズル２２の下端をその鉛直線に正射影した点の位置に概ね等しい。
【００２０】
ノズル部２１は、噴流流路２５と連行流流路２６とが形成されている。噴流流路２５は、外側ノズル２２と内側ノズル２３との間に形成されている。噴流流路２５は、上端が母管１２の圧縮空気流路２４に接続されている。連行流流路２６は、内側ノズル２３の内側に形成されている。
【００２１】
ノズル部２１は、さらに、連行流取り込み口２７と連行流出口２８と噴射口２９とが形成されている。連行流取り込み口２７は、図５に示されるように、連行流流路２６の上端に形成され、内側ノズル２３の上端に形成されている。連行流出口２８は、連行流流路２６の下端に形成され、内側ノズル２３の下端に形成されている。噴射口２９は、圧縮空気流路２４の下端に形成され、外側ノズル２２の下端と内側ノズル２３の下端との間に形成されている。噴射口２９は、図６に示されるように、連行流出口２８を囲むように形成されている。
【００２２】
複数のノズル部は、さらに、母管１２のうちの逆洗空気配管１６から圧縮空気が供給される口から遠いノズル部ほど連行流出口２８の面積と噴射口２９の面積とが大きくなるように、すなわち、回転軸１４から遠いノズル部ほど連行流出口２８の面積と噴射口２９の面積とが大きくなるように、形成されている。
【００２３】
母管１２は、さらに、圧縮空気流路２４のうちの圧縮空気が供給される口から遠い部分ほど細くなるように、すなわち、圧縮空気流路２４のうちの回転軸１４から遠い部分ほど細くなるように、形成されている。
本バグフィルタの構造は一例を示すものであり、集塵装置浄化用ノズルおよび母管が固定され、同一の大きさのものでも構わず、バグフィルタの構造に限定されるものではない。
【００２４】
バグフィルタ１０は、外部設備から排気された排ガスからダストを除去することに利用される。バグフィルタ１０は、排ガス入口７を介して、外部設備から排気された排ガスが排ガス領域５に供給される。排ガス領域５に供給された排ガスは、複数のろ布３を通過することにより、ろ過され、ダストが除去される。複数のろ布３を通過した清浄排ガスは、清浄ガス領域６に供給され、排ガス出口８を介して次工程の外部設備に供給される。
【００２５】
複数のろ布３は、排ガスをろ過することにより、排ガス領域５に露出された面にダストが堆積する。複数のろ布３は、ダストが堆積することにより、圧力損失が上昇する。
【００２６】
回転用モータ１３は、バグフィルタ１０が排ガスからダストを除去している最中に、回転軸１４を中心に母管１２を所定の角速度で回転させる。逆洗空気源１５は、空気を圧縮することにより、圧縮空気を生成する。ダイヤフラム弁１７は、逆洗空気配管１６の流路を開閉することにより、母管１２に圧縮空気を間欠的に供給する。
【００２７】
集塵装置浄化用ノズル１１は、圧縮空気が母管１２に供給されることにより、複数のノズル部の噴射口２９から圧縮空気を噴射する。噴射口２９から噴射された噴流は、噴射口２９の外側に配置された空気と連行流流路２６に配置された空気とを取り込み、洗浄用噴流を生成する。洗浄用噴流の流量は、噴射口２９から噴射された噴流が噴射口２９の外側に配置された空気と連行流流路２６に配置された空気とを取り込んで生成されることにより、噴射口２９から噴射された噴流の流量より大きい。
【００２８】
集塵装置浄化用ノズル１１は、複数のノズル部によりそれぞれ生成された複数の洗浄用噴流を複数のろ布３に向けて噴射する。複数のろ布３の各々は、洗浄用噴流が噴射されることにより、洗浄用噴流が袋の内部に供給され、洗浄用噴流が袋の内部から排ガス領域５へろ布を通過していく。複数のろ布３は、洗浄用噴流がろ布を排ガス領域５に通過する際にろ布が変形し、排ガス領域５に露出された面に堆積したダストが払い落とされて逆洗される。
【００２９】
このとき、複数のノズルは、集塵装置浄化用ノズル１１が回転しているときに、複数のろ布３の全部に洗浄用噴流が噴射されるように、洗浄用噴流を間欠的に生成する。すなわち、ダイヤフラム弁１７は、集塵装置浄化用ノズル１１が回転しているときに、複数のろ布３の全部に洗浄用噴流が噴射されるように、逆洗空気配管１６の流路を開閉する。複数のろ布３の全部に洗浄用噴流が噴射されるように逆洗空気配管１６の流路を開閉する間隔としては、ランダムに変化する間隔が例示される。
【００３０】
複数のろ布３は、逆洗されることにより、目詰まりが低減し、排ガスを適切にろ過することができる。バグフィルタ１０は、複数のろ布３が排ガスを適切にろ過することにより、排ガスからダストを適切に除去することができる。
【００３１】
ノズル部２１は、連行流流路２６と連行流出口２８とが形成されていることにより、噴射口２９から噴射される噴流の流量より大きい流量の洗浄用噴流を生成することができる。このため、集塵装置浄化用ノズル１１は、逆洗空気源１５から供給される圧縮空気のみから形成される洗浄用噴流を複数のろ布３に噴射する他の集塵装置浄化用ノズルに比較して、より大きい流量の洗浄用噴流を複数のろ布３に噴射することができる。
【００３２】
バグフィルタ１０は、集塵装置浄化用ノズル１１を備えることにより、逆洗空気源１５の能力を増加させることなく、複数のろ布３を逆洗する洗浄用噴流の流量を低コストで増加させることができる。このため、バグフィルタ１０は、複数のろ布３を逆洗する洗浄用噴流の流量を増加させることにより、複数のろ布３が長尺化された場合でも、複数のろ布３の袋の奥まで噴流を供給することができ、複数のろ布３を適切に逆洗することができる。バグフィルタ１０は、さらに、複数のろ布３を長尺化することにより、複数のろ布３によりろ過される排ガスの流量を向上させることができ、排ガスからダストを低圧力損失で高効率に除去することができる。
【００３３】
複数のノズル部は、回転軸１４から遠いノズル部ほど逆洗する複数のろ布３の個数が多い。集塵装置浄化用ノズル１１は、回転軸１４から遠いノズル部ほど連行流出口と噴射口２９との面積が大きいことにより、回転軸１４から遠いノズル部ほど多量のろ布に洗浄用噴流を噴射することができ、複数のろ布３に適切に洗浄用噴流を噴射することができる。バグフィルタ１０は、複数のろ布３に適切に洗浄用噴流が噴射されることにより、複数のろ布３を適切に逆洗することができ、排ガスからダストを適切に除去することができる。
【００３４】
集塵装置浄化用ノズル１１は、圧縮空気流路２４のうちの圧縮空気が供給される口から遠い部分ほど細くなるように母管１２が形成されていることにより、圧縮空気流路２４を流れる圧縮空気の静圧を一様にすることができる。集塵装置浄化用ノズル１１は、圧縮空気流路２４を流れる圧縮空気の静圧を一様にすることにより、複数のノズル部の噴流流路２５に一様に圧縮空気を供給することができる。複数のノズル部は、噴流流路２５に均一に圧縮空気が供給されることにより、互いに同様に、洗浄用噴流を生成することができ、複数のろ布３の全部に適切に洗浄用噴流を噴射することができる。バグフィルタ１０は、複数のろ布３の全部に適切に洗浄用噴流が噴射されることにより、複数のろ布３の全部を適切に逆洗することができ、排ガスからダストを適切に除去することができる。
【００３５】
集塵装置浄化用ノズルの実施の他の形態は、既述の実施の形態におけるノズル部２１の連行流取り込み口２７の形状が異なっている。すなわち、内側ノズル２３は、図７に示されるように、上端に曲面４２が形成されている。曲面４２は、いわゆるベルマウス形状に形成され、緩やかに屈曲する面から形成され、さらに、内側ノズル２３の内側の面になだらかに繋がるように、かつ、母管１２の外側の面になだらかに繋がるように、形成されている。
【００３６】
曲面４２が形成されたノズル部４１は、既述の実施の形態におけるノズル部２１と同様にして、逆洗空気源１５の能力を増加させることなく、複数のろ布３に噴射される洗浄用噴流の流量を容易に増加させることができる。このため、このようなノズル部を備えるバグフィルタは、既述の実施の形態におけるバグフィルタ１０と同様にして、複数のろ布３を長尺化された場合でも、複数のろ布３を適切に逆洗することができ、排ガスからダストを高効率に除去することができる。
【００３７】
このようなノズル部は、連行流取り込み口２７を囲む曲面４２がベルマウス形状に形成されていることにより、連行流取り込み口２７を介して清浄排ガスが清浄排ガス領域６から連行流流路２６に取り込まれやすく、連行流流路２６に配置された空気をより多く洗浄用噴流に取り込むことができる。このため、このようなノズル部を備える集塵装置浄化用ノズルは、既述の集塵装置浄化用ノズル１１に比較して、より大きい流量の洗浄用噴流を複数のろ布３に噴射することができ、複数のろ布３を適切に逆洗することができる。
【００３８】
集塵装置浄化用ノズルの実施のさらに他の形態は、図８に示されるように、既述の実施の形態におけるノズル部２１の内側ノズル２３が複数の内側ノズル５１に置換されている。複数の内側ノズル５１は、それぞれ、管状に形成されている。複数の内側ノズル５１は、それぞれ、鉛直線に沿うように、かつ、圧縮空気流路２４を貫通するように、かつ、下端が外側ノズル２２の内側に配置されるように、配置されている。複数の内側ノズル５１は、さらに、それぞれ、上端が母管１２に接合されることにより、母管１２に固定されている。複数の内側ノズル５１は、さらに、下端が外側ノズル２２の下端に揃うように、配置されている。
【００３９】
複数の内側ノズル５１を備えたノズル部５２は、噴流流路５５と複数の連行流流路５６とが形成されている。噴流流路５５は、外側ノズル２２の内側のうちの複数の内側ノズル５１の外側に形成されている。噴流流路５５は、上端が母管１２の圧縮空気流路２４に接続されている。複数の連行流流路５６は、複数の内側ノズル５１の内側にそれぞれ形成されている。
【００４０】
ノズル部５２は、さらに、複数の連行流取り込み口５７と複数の連行流出口５８と噴射口５９とが形成されている。複数の連行流取り込み口５７は、複数の連行流流路５６の上端に形成され、複数の内側ノズル５１の上端にそれぞれ形成されている。複数の連行流出口５８は、複数の連行流流路５６の下端に形成され、複数の内側ノズル５１の下端に形成されている。噴射口５９は、圧縮空気流路２４の下端に形成され、外側ノズル２２の下端と複数の内側ノズル５１の下端との間に形成されている。複数の連行流出口５８は、図９に示されるように、噴射口５９に囲まれるように、形成されている。
【００４１】
ノズル部５２は、既述の実施の形態におけるノズル部２１と同様にして、噴射口５９から噴射される噴流が複数の連行流流路５６に配置される清浄排ガスを取り込むことにより、逆洗空気源１５の能力を増加させることなく、複数のろ布３に噴射される洗浄用噴流の流量を容易に増加させることができる。このため、ノズル部５２を備えるバグフィルタは、既述の実施の形態におけるバグフィルタ１０と同様にして、複数のろ布３を長尺化された場合でも、複数のろ布３を適切に逆洗することができ、排ガスからダストを高効率に除去することができる。
【００４２】
ノズル部５２は、複数の連行流流路５６が形成されていることにより、複数の連行流流路５６を介して清浄排ガスが洗浄用噴流に取り込まれやすく、清浄排ガスをより多く洗浄用噴流に取り込むことができる。このため、ノズル部５２を備える集塵装置浄化用ノズルは、既述の集塵装置浄化用ノズル１１に比較して、より大きい流量の洗浄用噴流を複数のろ布３に噴射することができ、複数のろ布３を適切に逆洗することができる。
【００４３】
なお、外側ノズル２２は、長方形と異なる断面形状に形成されることもできる。さらに、連行流出口２８と複数の連行流出口５８とも、長方形と異なる断面形状に形成されることができる。その断面形状としては、円が例示される。この場合も、集塵装置浄化用ノズルは、より大きい流量の洗浄用噴流を複数のろ布３に噴射することができ、集塵装置浄化用ノズルを備えるバグフィルタは、複数のろ布３が長尺化された場合でも、逆洗空気源１５の能力を増加させることなく、複数のろ布３を適切に逆洗することができ、排ガスからダストを適切に除去することができる。
【００４４】
外側ノズル２２は、複数のろ布３に近づくにつれ断面積が変化する形状に形成される他の外側ノズルに置換されることができる。集塵装置浄化用ノズルは、噴流流路２５を流れる圧縮空気の流速に基づいてその形状が設計されることにより、噴射口２９から噴流を適切に噴射することができ、複数のろ布３を適切に逆洗することができる。
【００４５】
集塵装置浄化用ノズルは、複数のろ布３を逆洗することに利用されることに限らず、排ガスからダストを除去する他のフィルタや電気集塵装置を浄化することに利用することもできる。他のフィルタとしては、金網、空気清浄用フィルタ、セラミックフィルタが例示される。このようなフィルタや電気集塵装置に対しても、複数のろ布３と同様にして、集塵装置浄化用ノズルにより適切に浄化されることができる。
【符号の説明】
【００４６】
１  ：ハウジング
２  ：分離板
３  ：複数のろ布
５  ：排ガス領域
６  ：ガス領域
７  ：排ガス入口
８  ：排ガス出口
１０：バグフィルタ
１１：集塵装置浄化用ノズル
１２：母管
１３：回転用モータ
１４：回転軸
１５：逆洗空気源
１６：逆洗空気配管
１７：ダイヤフラム弁
２１：ノズル部
２２：外側ノズル
２３：内側ノズル
２４：圧縮空気流路
２５：噴流流路
２６：連行流流路
２７：連行流取り込み口
２８：連行流出口
２９：噴射口
４１：ノズル部
４２：曲面
５１：複数の内側ノズル
５２：ノズル部
５５：噴流流路
５６：複数の連行流流路
５７：複数の連行流取り込み口
５８：複数の連行流出口
５９：噴射口
【図１】
2015104827.tif 000003
【図２】
2015104827.tif 000004
【図３】
2015104827.tif 000005
【図４】
2015104827.tif 000006
【図５】
2015104827.tif 000007
【図６】
2015104827.tif 000008
【図７】
2015104827.tif 000009
【図８】
2015104827.tif 000010
【図９】
2015104827.tif 000011
【国際調査報告】
2015104827.tif 000012
2015104827.tif 000013
2015104827.tif 000014
2015104827.tif 000015